【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向かって打球発射装置から打ち込まれた遊技球が前記遊技領域に設けた始動入賞口に入球したことに基づいて前記遊技領域に設けた液晶表示器の描画制御を行うパチンコ遊技機であって、
遊技の進行を制御し、かつ、該遊技の進行に基づいて遊技演出コマンドを作成して出力する主制御マイクロプロセッサが実装された主制御手段と、
該主制御手段からの前記遊技演出コマンドを受信し、かつ、該受信した前記遊技演出コマンドに基づいて、コマンドの種類を示すステータス及び演出のバリエーションを示すモードから構成される基コマンドを１つ又は複数連ねて内蔵するＲＡＭに設けたリングバッファに表示コマンドとして記憶し、該リングバッファから前記基コマンドを１つずつ順に送信するサブ制御マイクロプロセッサが実装されたサブ制御手段と、
該サブ制御手段からの前記表示コマンドを受信し、かつ、該受信した前記表示コマンドに基づいて前記液晶表示器の描画制御を行う液晶制御マイクロプロセッサが実装された液晶制御手段と、
を備え、
前記主制御マイクロプロセッサは、少なくとも、
電源投入時又は復電時に、当該主制御マイクロプロセッサを起動開始する主制御側電源投入時制御手段と、
該主制御側電源投入時制御手段で当該主制御マイクロプロセッサの割り込み許可を設定した後、主制御側定期割り込みタイマによる割り込みが発生するごとに、前記遊技の進行を行う主制御側定期タイマ割り込み制御手段と、
を備え、
前記主制御側定期タイマ割り込み制御手段は、少なくとも、
前記始動入賞口に遊技球が入球したか否かを検出するスイッチ入力制御手段と、
該スイッチ入力制御手段で前記始動入賞口に遊技球が入球したことに基づいて当落の判定を行い、かつ、該判定結果に基づいて前記遊技演出コマンドを作成する遊技制御手段と、
該遊技制御手段で作成した前記遊技演出コマンドを前記サブ制御手段に送信する遊技演出コマンド送信制御手段と、
を含み、
前記サブ制御マイクロプロセッサは、前記基コマンドを前記液晶制御手段に送信するシリアル出力ポートが内蔵され、少なくとも、
電源投入時又は復電時に、当該サブ制御マイクロプロセッサを起動開始するサブ制御側電源投入時制御手段と、
該サブ制御側電源投入時制御手段で当該サブ制御マイクロプロセッサの割り込み許可を設定した後、サブ制御側定期割り込みタイマによる割り込みが発生するごとに、演出の制御を行うサブ制御側定期タイマ割り込み制御手段と、
前記シリアル出力ポートの送信バッファが空になると、これを契機として割り込みが発生する送信バッファ空割り込み制御手段と、
受信完了した旨を伝える信号が前記液晶制御手段から入力されると、これを契機として割り込みが発生する受信完了割り込み制御手段と、
を備え、
前記サブ制御側電源投入時制御手段は、少なくとも、
前記サブ制御側定期割り込みタイマの所定数倍の時間が経過するごとに、前記主制御手段からの前記遊技演出コマンドに基づいて、前記基コマンドを１つ又は複数連ねて前記リングバッファに前記表示コマンドとして記憶する演出制御手段と、
を含み、
前記サブ制御側定期タイマ割り込み制御手段は、少なくとも、
前記リングバッファから前記基コマンドを抽出して前記液晶制御手段に送信する基コマンド送信制御手段
を含み、
前記基コマンド送信制御手段は、少なくとも、
前記リングバッファに前記基コマンドが記憶されているか否かを判定する基コマンド記憶有無判定制御手段と、
該基コマンド記憶有無判定制御手段で前記リングバッファに前記基コマンドが記憶されていると判定したときのみ、当該基コマンドの前記ステータス及び前記モードを数値とみなしてその合計であるサム値を算出し、かつ、該算出したサム値を当該基コマンドに付加した送信用基コマンドを作成する送信用基コマンド作成制御手段と、
該送信用基コマンド作成制御手段で作成した前記送信用基コマンドの前記ステータスを前記シリアル出力ポートの送信バッファにセットして１ビットずつ前記液晶制御手段に送信開始する送信用基コマンド送信開始制御手段と、
前記送信用基コマンドの受信完了した旨を伝える信号が前記液晶制御手段から予め定めた時間内に入力されたか否かを判定する送信用基コマンド受信完了判定制御手段と、
該送信用基コマンド受信完了判定制御手段で前記送信用基コマンドの受信完了した旨を伝える信号が前記液晶制御手段から前記予め定めた時間内に入力されなかったと判定したときのみ、前記送信用基コマンド送信開始制御手段でセットした同一の前記送信用基コマンドの前記ステータスを前記シリアル出力ポートの送信バッファにセットして１ビットずつ前記液晶制御手段に再送信開始する送信用基コマンド再送信開始制御手段と、
該送信用基コマンド再送信開始制御手段による再送信開始回数が予め定めた上限回数を超えていないときのみ、該送信用基コマンド再送信開始制御手段による再送信開始を許可する再送信開始許可制御手段と、
を含み、
前記送信バッファ空割り込み制御手段は、前記送信用基コマンドの前記ステータスの送信完了後、続いて当該送信用基コマンドの前記モードを前記シリアル出力ポートの送信バッファにセットして当該シリアル出力ポートから１ビットずつ前記液晶制御手段に出力し、当該送信用基コマンドの当該モードの送信完了後、続いて当該送信用基コマンドの前記サム値を当該シリアル出力ポートの送信バッファにセットして当該シリアル出力ポートから１ビットずつ前記液晶制御手段に出力し、
前記受信完了割り込み制御手段は、前記送信用基コマンドの受信完了した旨を伝える信号が前記液晶制御手段から入力されると、前記リングバッファに記憶されている次の前記基コマンドを送信対象として設定し、
前記液晶制御マイクロプロセッサは、前記サブ制御手段からの前記送信用基コマンドを受信するシリアル入力ポートが内蔵され、少なくとも、
電源投入時又は復電時に、当該液晶制御マイクロプロセッサを起動開始する液晶制御側電源投入時制御手段と、
前記シリアル入力ポートの受信バッファが前記送信用基コマンドの前記ステータス、前記モード又は前記サム値のいずれかを受信すると、これを契機として割り込みが発生する液晶制御側コマンド受信割り込み制御手段と、
を備え、
前記液晶制御側コマンド受信割り込み制御手段は、少なくとも、
前記送信用基コマンドの前記ステータス、前記モードそして前記サム値を、前記シリアル入力ポートの受信バッファから順に取り込む取り込み制御手段と、
該取り込み制御手段で、前記送信用基コマンドの前記ステータス、前記モードそして前記サム値を、前記シリアル入力ポートの受信バッファから順に取り込み完了したか否かを判定する送信用基コマンド取り込み完了判定制御手段と、
該送信用基コマンド取り込み完了判定制御手段で、前記送信用基コマンドの前記ステータス、前記モードそして前記サム値を、前記取り込み制御手段で前記シリアル入力ポートの受信バッファから順に取り込み完了したと判定したときのみ、当該取り込み制御手段で取り込んだ当該送信用基コマンドの当該ステータス及び当該送信用基コマンドの当該モードを数値とみなしてその合計であるサム値を算出する液晶制御側サム値算出制御手段と、
該液晶制御側サム値算出制御手段で算出したサム値と前記取り込み制御手段で前記シリアル入力ポートの受信バッファから取り込んだ前記送信用基コマンドの前記サム値とが一致しているか否かを判定する整合性判定制御手段と、
該整合性判定制御手段で、前記液晶制御側サム値算出制御手段で算出したサム値と前記取り込み制御手段で前記シリアル入力ポートの受信バッファから取り込んだ前記送信用基コマンドの前記サム値とが一致しているときのみ、当該送信用基コマンドの受信完了した旨を伝える信号を前記サブ制御手段に出力する送信用基コマンド受信完了制御手段と、
前記整合性判定制御手段で、前記液晶制御側サム値算出制御手段で算出したサム値と前記取り込み制御手段で前記シリアル入力ポートの受信バッファから取り込んだ前記送信用基コマンドの前記サム値とが一致しているときのみ、当該送信用基コマンドの前記ステータス及び前記モードを、前記液晶制御マイクロプロセッサに内蔵されるＲＡＭに設けた液晶制御側リングバッファに対応付けて記憶するとともに、当該送信用基コマンドの当該サム値を破棄する液晶制御側リングバッファ記憶制御手段と、
を含むことを特徴とするパチンコ遊技機。
【手続補正２】
【補正対象書類名】明細書
【補正対象項目名】０００２
【補正方法】変更
【補正の内容】
【０００２】
従来より、遊技機としてのパチンコ遊技機は、遊技の進行を制御する主制御基板（主制御手段）、演出動作を制御するサブ制御基板（サブ制御手段）、液晶表示器の描画制御を行う図柄制御基板（液晶制御手段）を備えて構成されている。主制御手段は、遊技盤の遊技領域に設けた始動入賞口に、遊技領域に発射された遊技球が入球すると、抽選を行ってその抽選結果に基づいて遊技演出コマンドを作成してサブ制御手段に送信する。この遊技演出コマンドを受信するサブ制御手段は、受信した遊技演出コマンドに基づいて液晶表示器に表示させる画面を示す表示コマンドを作成して液晶制御手段に送信する。この表示コマンドを受信する液晶制御手段は、受信した表示コマンドに基づいて液晶表示器の描画制御を行う。
【手続補正３】
【補正対象書類名】明細書
【補正対象項目名】０００３
【補正方法】変更
【補正の内容】
【０００３】
パチンコ遊技機は、主制御手段からサブ制御手段に、そしてサブ制御手段から液晶制御手段に各種コマンドが一方向にしか送信されないため、最上位の主制御手段は、各種コマンドが最下位の液晶制御手段まで送信されたか否かの確認を行うことができない。このため、最下位の液晶制御手段は、サブ制御手段からの表示コマンドを受信するためにサブ制御手段より早く初期化を完了する必要がある。一方、サブ制御手段は、主制御手段からの遊技演出コマンドを受信するために主制御手段より早く初期化を完了する必要がある。このような最下位の液晶制御手段から、サブ制御手段、そして最上位の主制御手段の順で初期化を完了する遊技機が提案されている（例えば、特許文献１）。
【手続補正４】
【補正対象書類名】明細書
【補正対象項目名】０００５
【補正方法】変更
【補正の内容】
【０００５】
近年のパチンコ遊技機では、バリエーションのある演出を液晶表示器に描画することで遊技者に魅力ある演出を提供している。このため、サブ制御手段から液晶制御手段に送信する表示コマンドの情報量が極めて大きくなっている。
【手続補正５】
【補正対象書類名】明細書
【補正対象項目名】０００６
【補正方法】変更
【補正の内容】
【０００６】
ところで、主制御手段とサブ制御手段との手段間、サブ制御手段と液晶制御手段との手段間は、ハーネスで電気的に接続されており、このハーネスを介して各種コマンドのやりとりが行われている。このような各種コマンドのやりとりに用いるハーネスの他に、主制御手段、サブ制御手段及び液晶制御手段等に電力を供給する電源用のハーネス、装飾ランプや可動体を駆動するモータ等への駆動用のハーネス等、パチンコ遊技機には極めて多くのハーネスが用いられている。このため、パチンコ遊技機の廃棄処理において、それらのハーネスを廃棄する場合に生じる地球環境への影響が問題視されており、早急な対策が必要に迫られている。
【手続補正６】
【補正対象書類名】明細書
【補正対象項目名】０００７
【補正方法】変更
【補正の内容】
【０００７】
そこで、その対策の１つとして、各種コマンドの送信方法をパラレル方式からシリアル方式にすることによって各種コマンドのやりとりに用いるハーネスの信号線の数を少なくしている。シリアル方式では、パラレル方式と異なり一度にコマンドを伝達することできないため、コマンドを連続信号として伝達することとなる。そうすると、シリアル方式では、コマンドが信号線上、つまりハーネスに存在する期間がパラレル方式に比べて長くなり、ハーネスに侵入してくるノイズの影響を受けやすくなる。例えばサブ制御手段から液晶制御手段への表示コマンドをシリアル方式にすると、情報量の大きい表示コマンドは、ハーネスに存在する期間が長くなるため、ハーネスに侵入してくるノイズの影響を受けて、正規と異なる情報となって液晶制御手段に伝達されるおそれがある。
【手続補正７】
【補正対象書類名】明細書
【補正対象項目名】０００９
【補正方法】変更
【補正の内容】
【０００９】
しかしながら、パチンコ遊技機では、上述したように、最上位の主制御手段から最下位の液晶制御手段に向かって一方向にしか各種コマンドが送信されないため、例えばサブ制御手段と液晶制御手段との手段間に生じた不具合を把握することができない。そうすると、サブ制御手段と液晶制御手段との手段間のハーネスにノイズが侵入して正しい表示コマンドが伝わらなくなると、最上位の主制御手段と最下位の液晶制御手段との同期性を維持できなくなり、主制御手段による遊技の進行と液晶制御手段による液晶表示器の描画の進行との間にギャップが生じ、遊技者に違和感を与えるおそれがある。
【手続補正８】
【補正対象書類名】明細書
【補正対象項目名】００１０
【補正方法】変更
【補正の内容】
【００１０】
本発明は、このような事情に鑑みてなされたものであり、その目的とするところは、ノイズの影響を受けても、最上位の主制御手段と最下位の液晶制御手段との同期性を維持することができるパチンコ遊技機を提供することにある。
【手続補正９】
【補正対象書類名】明細書
【補正対象項目名】００１２
【補正方法】変更
【補正の内容】
【００１２】
（解決手段１）
遊技盤に形成された遊技領域に向かって打球発射装置から打ち込まれた遊技球が前記遊技領域に設けた始動入賞口に入球したことに基づいて前記遊技領域に設けた液晶表示器の描画制御を行うパチンコ遊技機であって、遊技の進行を制御し、かつ、該遊技の進行に基づいて遊技演出コマンドを作成して出力する主制御マイクロプロセッサが実装された主制御手段と、該主制御手段からの前記遊技演出コマンドを受信し、かつ、該受信した前記遊技演出コマンドに基づいて、コマンドの種類を示すステータス及び演出のバリエーションを示すモードから構成される基コマンドを１つ又は複数連ねて内蔵するＲＡＭに設けたリングバッファに表示コマンドとして記憶し、該リングバッファから前記基コマンドを１つずつ順に送信するサブ制御マイクロプロセッサが実装されたサブ制御手段と、該サブ制御手段からの前記表示コマンドを受信し、かつ、該受信した前記表示コマンドに基づいて前記液晶表示器の描画制御を行う液晶制御マイクロプロセッサが実装された液晶制御手段と、を備え、前記主制御マイクロプロセッサは、少なくとも、電源投入時又は復電時に、当該主制御マイクロプロセッサを起動開始する主制御側電源投入時制御手段と、該主制御側電源投入時制御手段で当該主制御マイクロプロセッサの割り込み許可を設定した後、主制御側定期割り込みタイマによる割り込みが発生するごとに、前記遊技の進行を行う主制御側定期タイマ割り込み制御手段と、を備え、前記主制御側定期タイマ割り込み制御手段は、少なくとも、前記始動入賞口に遊技球が入球したか否かを検出するスイッチ入力制御手段と、該スイッチ入力制御手段で前記始動入賞口に遊技球が入球したことに基づいて当落の判定を行い、かつ、該判定結果に基づいて前記遊技演出コマンドを作成する遊技制御手段と、該遊技制御手段で作成した前記遊技演出コマンドを前記サブ制御手段に送信する遊技演出コマンド送信制御手段と、を含み、前記サブ制御マイクロプロセッサは、前記基コマンドを前記液晶制御手段に送信するシリアル出力ポートが内蔵され、少なくとも、電源投入時又は復電時に、当該サブ制御マイクロプロセッサを起動開始するサブ制御側電源投入時制御手段と、該サブ制御側電源投入時制御手段で当該サブ制御マイクロプロセッサの割り込み許可を設定した後、サブ統合側定期割り込みタイマによる割り込みが発生するごとに、演出の制御を行うサブ制御側定期タイマ割り込み制御手段と、前記シリアル出力ポートの送信バッファが空になると、これを契機として割り込みが発生する送信バッファ空割り込み制御手段と、受信完了した旨を伝える信号が前記液晶制御手段から入力されると、これを契機として割り込みが発生する受信完了割り込み制御手段と、を備え、前記サブ制御側電源投入時制御手段は、少なくとも、前記サブ制御側定期割り込みタイマの所定数倍の時間が経過するごとに、前記主制御手段からの前記遊技演出コマンドに基づいて、前記基コマンドを１つ又は複数連ねて前記リングバッファに前記表示コマンドとして記憶する演出制御手段と、を含み、前記サブ制御側定期タイマ割り込み制御手段は、少なくとも、前記リングバッファから前記基コマンドを抽出して前記液晶制御手段に送信する基コマンド送信制御手段を含み、前記基コマンド送信制御手段は、少なくとも、前記リングバッファに前記基コマンドが記憶されているか否かを判定する基コマンド記憶有無判定制御手段と、該基コマンド記憶有無判定制御手段で前記リングバッファに前記基コマンドが記憶されていると判定したときのみ、当該基コマンドの前記ステータス及び前記モードを数値とみなしてその合計であるサム値を算出し、かつ、該算出したサム値を当該基コマンドに付加した送信用基コマンドを作成する送信用基コマンド作成制御手段と、該送信用基コマンド作成制御手段で作成した前記送信用基コマンドの前記ステータスを前記シリアル出力ポートの送信バッファにセットして１ビットずつ前記液晶制御手段に送信開始する送信用基コマンド送信開始制御手段と、前記送信用基コマンドの受信完了した旨を伝える信号が前記液晶制御手段から予め定めた時間内に入力されたか否かを判定する送信用基コマンド受信完了判定制御手段と、該送信用基コマンド受信完了判定制御手段で前記送信用基コマンドの受信完了した旨を伝える信号が前記液晶制御手段から前記予め定めた時間内に入力されなかったと判定したときのみ、前記送信用基コマンド送信開始制御手段でセットした同一の前記送信用基コマンドの前記ステータスを前記シリアル出力ポートの送信バッファにセットして１ビットずつ前記液晶制御手段に再送信開始する送信用基コマンド再送信開始制御手段と、該送信用基コマンド再送信開始制御手段による再送信開始回数が予め定めた上限回数を超えていないときのみ、該送信用基コマンド再送信開始制御手段による再送信開始を許可する再送信開始許可制御手段と、を含み、前記送信バッファ空割り込み制御手段は、前記送信用基コマンドの前記ステータスの送信完了後、続いて当該送信用基コマンドの前記モードを前記シリアル出力ポートの送信バッファにセットして当該シリアル出力ポートから１ビットずつ前記液晶制御手段に出力し、当該送信用基コマンドの当該モードの送信完了後、続いて当該送信用基コマンドの前記サム値を当該シリアル出力ポートの送信バッファにセットして当該シリアル出力ポートから１ビットずつ前記液晶制御手段に出力し、前記受信完了割り込み制御手段は、記送信用基コマンドの受信完了した旨を伝える信号が前記液晶制御手段から入力されると、前記リングバッファに記憶されている次の前記基コマンドを送信対象として設定し、前記液晶制御マイクロプロセッサは、前記サブ制御手段からの前記送信用基コマンドを受信するシリアル入力ポートが内蔵され、少なくとも、電源投入時又は復電時に、当該液晶制御マイクロプロセッサを起動開始する液晶制御側電源投入時制御手段と、前記シリアル入力ポートの受信バッファが前記送信用基コマンドの前記ステータス、前記モード又は前記サム値のいずれかを受信すると、これを契機として割り込みが発生する液晶制御側コマンド受信割り込み制御手段と、を備え、前記液晶制御側コマンド受信割り込み制御手段は、少なくとも、前記送信用基コマンドの前記ステータス、前記モードそして前記サム値を、前記シリアル入力ポートの受信バッファから順に取り込む取り込み制御手段と、該取り込み制御手段で、前記送信用基コマンドの前記ステータス、前記モードそして前記サム値を、前記シリアル入力ポートの受信バッファから順に取り込み完了したか否かを判定する送信用基コマンド取り込み完了判定制御手段と、該送信用基コマンド取り込み完了判定制御手段で、前記送信用基コマンドの前記ステータス、前記モードそして前記サム値を、前記取り込み制御手段で前記シリアル入力ポートの受信バッファから順に取り込み完了したと判定したときのみ、当該取り込み制御手段で取り込んだ当該送信用基コマンドの当該ステータス及び当該送信用基コマンドの当該モードを数値とみなしてその合計であるサム値を算出する液晶制御側サム値算出制御手段と、該液晶制御側サム値算出制御手段で算出したサム値と前記取り込み制御手段で前記シリアル入力ポートの受信バッファから取り込んだ前記送信用基コマンドの前記サム値とが一致しているか否かを判定する整合性判定制御手段と、該整合性判定制御手段で、前記液晶制御側サム値算出制御手段で算出したサム値と前記取り込み制御手段で前記シリアル入力ポートの受信バッファから取り込んだ前記送信用基コマンドの前記サム値とが一致しているときのみ、当該送信用基コマンドの受信完了した旨を伝える信号を前記サブ制御手段に出力する送信用基コマンド受信完了制御手段と、前記整合性判定制御手段で、前記液晶制御側サム値算出制御手段で算出したサム値と前記取り込み制御手段で前記シリアル入力ポートの受信バッファから取り込んだ前記送信用基コマンドの前記サム値とが一致しているときのみ、当該送信用基コマンドの前記ステータス及び前記モードを、前記液晶制御マイクロプロセッサに内蔵されるＲＡＭに設けた液晶制御側リングバッファに対応付けて記憶するとともに、当該送信用基コマンドの当該サム値を破棄する液晶制御側リングバッファ記憶制御手段と、を含むことを特徴とするパチンコ遊技機。
【手続補正１０】
【補正対象書類名】明細書
【補正対象項目名】００１４
【補正方法】変更
【補正の内容】
【００１４】
パチンコ遊技機は、主制御手段、サブ制御手段、液晶制御手段を備えている。主制御手段は、遊技の進行を制御しており、遊技の進行に基づいて遊技演出コマンドを作成して出力する主制御マイクロプロセッサが実装されている。サブ制御手段は、主制御手段からの遊技演出コマンドを受信しており、この受信した遊技演出コマンドに基づいて、コマンドの種類を示すステータス及び演出のバリエーションを示すモードから構成される基コマンドを１つ又は複数連ねて内蔵するＲＡＭに設けたリングバッファに表示コマンドとして記憶し、このリングバッファから基コマンドを１つずつ順に送信するサブ制御マイクロプロセッサが実装されている。液晶制御手段は、サブ制御手段からの表示コマンドを受信しており、この受信した表示コマンドに基づいて液晶表示器の描画制御を行う液晶制御マイクロプロセッサが実装されている。このように、パチンコ遊技機では、最上位の主制御手段から最下位の液晶制御手段に向かって一方向に各種コマンドが送信されるようになっており、主制御手段とサブ制御手段との手段間、サブ制御手段と液晶制御手段との手段間は、ハーネスによって電気的に接続され、各種コマンドが伝わるようになっている。
【手続補正１１】
【補正対象書類名】明細書
【補正対象項目名】００１５
【補正方法】変更
【補正の内容】
【００１５】
主制御マイクロプロセッサは、少なくとも、主制御側電源投入時制御手段、主制御側定期タイマ割り込み制御手段を備えている。主制御側電源投入時制御手段は、電源投入時又は復電時に、主制御マイクロプロセッサを起動開始している。主制御側定期タイマ割り込み制御手段は、主制御側電源投入時制御手段で主制御マイクロプロセッサの割り込み許可を設定した後、主制御側定期割り込みタイマによる割り込みが発生するごとに、遊技の進行を行っている。なお、「復電」とは、例えば停電又は瞬停（突発的に電力の供給が一時停止する現象）からその後に電力が復旧することである。
【手続補正１２】
【補正対象書類名】明細書
【補正対象項目名】００１６
【補正方法】変更
【補正の内容】
【００１６】
主制御側定期タイマ割り込み制御手段は、少なくとも、スイッチ入力制御手段、遊技制御手段、遊技演出コマンド送信制御手段を含んでいる。スイッチ入力制御手段は、始動入賞口に遊技球が入球したか否かを検出している。遊技制御手段は、スイッチ入力制御手段で始動入賞口に遊技球が入球したことに基づいて大当りであるか否かの当落の判定を行っており、この判定結果に基づいて遊技演出コマンドを作成している。遊技演出コマンド送信制御手段は、遊技制御手段で作成した遊技演出コマンドをサブ制御手段に送信している。
【手続補正１３】
【補正対象書類名】明細書
【補正対象項目名】００１７
【補正方法】変更
【補正の内容】
【００１７】
サブ制御マイクロプロセッサは、基コマンドを液晶制御手段に送信するシリアル出力ポートが内蔵されており、少なくとも、サブ統合側電源投入時制御手段、サブ制御側定期タイマ割り込み制御手段、送信バッファ空割り込み制御手段、受信完了割り込み制御手段を備えている。サブ制御側電源投入時制御手段は、電源投入時又は復電時に、サブ制御マイクロプロセッサを起動開始している。サブ制御側定期タイマ割り込み制御手段は、サブ制御側電源投入時制御手段でサブ制御マイクロプロセッサの割り込み許可を設定した後、サブ制御側定期割り込みタイマによる割り込みが発生するごとに、演出の制御を行っている。送信バッファ空割り込み制御手段は、シリアル出力ポートの送信バッファが空になると、これを契機として発生する割り込みである。受信完了割り込み制御手段は、受信完了した旨を伝える信号が液晶制御手段から入力されると、これを契機として発生する割り込みである。
【手続補正１４】
【補正対象書類名】明細書
【補正対象項目名】００１８
【補正方法】変更
【補正の内容】
【００１８】
サブ制御側電源投入時制御手段は、少なくとも、演出制御手段を含んでいる。演出制御手段は、サブ統合側定期割り込みタイマの所定数倍の時間が経過するごとに、主制御基板からの遊技演出コマンドに基づいて、基コマンドを１つ又は複数連ねてリングバッファに表示コマンドとして記憶している。
【手続補正１５】
【補正対象書類名】明細書
【補正対象項目名】００１９
【補正方法】変更
【補正の内容】
【００１９】
サブ制御側定期タイマ割り込み制御手段は、少なくとも、基コマンド送信制御手段を含んでいる。基コマンド送信制御手段は、リングバッファから基コマンドを抽出して液晶制御手段に送信している。
【手続補正１６】
【補正対象書類名】明細書
【補正対象項目名】００２０
【補正方法】変更
【補正の内容】
【００２０】
基コマンド送信制御手段は、少なくとも、基コマンド記憶有無判定制御手段、送信用基コマンド作成制御手段、送信用基コマンド送信開始制御手段、送信用基コマンド受信完了判定制御手段、送信用基コマンド再送信開始制御手段、再送信開始許可制御手段を含んでいる。基コマンド記憶有無判定制御手段は、リングバッファに基コマンドが記憶されているか否かを判定している。送信用基コマンド作成制御手段は、基コマンド記憶有無判定制御手段でリングバッファに基コマンドが記憶されていると判定したときのみ、基コマンドのステータス及びモードを数値とみなしてその合計であるサム値を算出しており、この算出したサム値を基コマンドに付加した送信用基コマンドを作成している。送信用基コマンド送信開始制御手段は、送信用基コマンド作成制御手段で作成した送信用基コマンドのステータスをシリアル出力ポートの送信バッファにセットして１ビットずつ液晶制御手段に送信開始している。送信用基コマンド受信完了判定制御手段は、送信用基コマンドの受信完了した旨を伝える信号が液晶制御手段から予め定めた時間内に入力されたか否かを判定している。送信用基コマンド再送信開始制御手段は、送信用基コマンド受信完了判定制御手段で送信用基コマンドの受信完了した旨を伝える信号が液晶制御手段から予め定めた時間内に入力されなかったと判定したときのみ、送信用基コマンド送信開始制御手段でセットした同一の送信用基コマンドのステータスをシリアル出力ポートの送信バッファにセットして１ビットずつ液晶制御手段に再送信開始している。再送信開始許可制御手段は、送信用基コマンド再送信開始制御手段による再送信開始回数が予め定めた上限回数を超えていないときのみ、送信用基コマンド再送信開始制御手段による再送信開始を許可している。
【手続補正１７】
【補正対象書類名】明細書
【補正対象項目名】００２１
【補正方法】変更
【補正の内容】
【００２１】
送信バッファ空割り込み制御手段は、送信用基コマンドのステータスの送信完了後、続いて送信用基コマンドのモードをシリアル出力ポートの送信バッファにセットしてシリアル出力ポートから１ビットずつ液晶制御手段に出力し、送信用基コマンドのモードの送信完了後、続いて送信用基コマンドのサム値をシリアル出力ポートの送信バッファにセットしてシリアル出力ポートから１ビットずつ液晶制御手段に出力している。このように、基コマンド送信制御手段は、送信用基コマンドのステータスをシリアル出力ポートの送信バッファにセットし、シリアル出力ポートの送信バッファが空になると、これを契機として送信バッファ空割り込み制御手段が送信用基コマンドのステータスに続いて送信用基コマンドのモードをシリアル出力ポートの送信バッファにセットしてシリアル出力ポートから１ビットずつ液晶制御手段に出力している。そしてシリアル出力ポートの送信バッファが空になると、これを契機として送信バッファ空割り込み制御手段が送信用基コマンドのモードに続いて送信用基コマンドのサム値をシリアル出力ポートの送信バッファにセットしてシリアル出力ポートから１ビットずつ液晶制御手段に出力している。つまり基コマンド送信制御手段は、送信用基コマンドのステータスをシリアル出力ポートの送信バッファにセットすると、送信用基コマンドのモード及びサム値を送信する制御から切り離されるようになっている。これにより、サブ制御側定期割り込みタイマによる割り込みが発生するごとに行われる、基コマンド送信制御手段を含んでいるサブ制御側定期タイマ割り込み制御手段の負荷を軽減している。
【手続補正１８】
【補正対象書類名】明細書
【補正対象項目名】００２２
【補正方法】変更
【補正の内容】
【００２２】
受信完了割り込み制御手段は、送信用基コマンドの受信完了した旨を伝える信号が液晶制御手段から入力されると、リングバッファに記憶されている次の基コマンドを送信対象として設定している。これにより、リングバッファに記憶されている基コマンドの送信対象が進むこととなる。
【手続補正１９】
【補正対象書類名】明細書
【補正対象項目名】００２３
【補正方法】変更
【補正の内容】
【００２３】
液晶制御マイクロプロセッサは、サブ制御手段からの送信用基コマンドを受信するシリアル入力ポートが内蔵されており、少なくとも、液晶制御側電源投入時制御手段、液晶制御側コマンド受信割り込み制御手段を備えている。液晶制御側電源投入時制御手段は、電源投入時又は復電時に、液晶制御マイクロプロセッサを起動開始している。液晶制御側コマンド受信割り込み制御手段は、シリアル入力ポートの受信バッファが送信用基コマンドのステータス、モード又はサム値のいずれかを受信すると、これを契機として発生する割り込みである。
【手続補正２０】
【補正対象書類名】明細書
【補正対象項目名】００２４
【補正方法】変更
【補正の内容】
【００２４】
液晶制御側コマンド受信割り込み制御手段は、少なくとも、取り込み制御手段、送信用基コマンド取り込み完了判定制御手段、液晶制御側サム値算出制御手段、整合性判定制御手段、送信用基コマンド受信完了制御手段、液晶制御側リングバッファ記憶制御手段を含んでいる。取り込み制御手段は、送信用基コマンドのステータス、モードそしてサム値を、シリアル入力ポートの受信バッファから順に取り込んでいる。送信用基コマンド取り込み完了判定制御手段は、取り込み制御手段で、送信用基コマンドのステータス、モードそしてサム値を、シリアル入力ポートの受信バッファから順に取り込み完了したか否かを判定している。液晶制御側サム値算出制御手段は、送信用基コマンド取り込み完了判定制御手段で、送信用基コマンドのステータス、モードそしてサム値を、取り込み制御手段でシリアル入力ポートの受信バッファから順に取り込み完了したと判定したときのみ、取り込み制御手段で取り込んだ送信用基コマンドのステータス及び送信用基コマンドのモードを数値とみなしてその合計であるサム値を算出している。整合性判定制御手段は、液晶制御側サム値算出制御手段で算出したサム値と、取り込み制御手段でシリアル入力ポートの受信バッファから取り込んだ送信用基コマンドのサム値と、が一致しているか否かを判定している。送信用基コマンド受信完了制御手段は、整合性判定制御手段で、液晶制御側サム値算出制御手段で算出したサム値と、取り込み制御手段でシリアル入力ポートの受信バッファから取り込んだ送信用基コマンドのサム値と、が一致しているときのみ、送信用基コマンドの受信完了した旨を伝える信号をサブ制御手段に出力している。液晶制御側リングバッファ記憶制御手段は、整合性判定制御手段で、液晶制御側サム値算出制御手段で算出したサム値と取り込み制御手段でシリアル入力ポートの受信バッファから取り込んだ送信用基コマンドのサム値とが一致しているときのみ、その送信用基コマンドのステータス及びモードを、液晶制御マイクロプロセッサに内蔵されるＲＡＭに設けた液晶制御側リングバッファに対応付けて記憶するとともに、その送信用基コマンドのサム値を破棄している。
【手続補正２１】
【補正対象書類名】明細書
【補正対象項目名】００２５
【補正方法】変更
【補正の内容】
【００２５】
このように、サブ制御手段のサブ制御マイクロプロセッサは、表示コマンドを構成する基コマンドに基づいて、基コマンドのステータス及びモードを数値とみなしてその合計であるサム値を算出し、この算出したサム値を基コマンドに付加して送信用基コマンドを作成する。そしてサブ制御マイクロプロセッサは、作成した送信用基コマンドのステータス、モードそしてサム値を順に液晶制御手段に送信している。液晶制御手段の液晶制御マイクロプロセッサは、受信した送信用基コマンドのステータス及びモードを数値とみなしてその合計であるサム値を算出し、この算出したサム値と、受信した送信用基コマンドのサム値と、が一致しているときのみ、送信用基コマンドの受信完了の旨を伝える信号をサブ制御手段に出力している。サブ制御マイクロプロセッサは、送信用基コマンドの受信完了の旨を伝える信号が予め定めた時間内に入力されないときには、再度同一の送信用基コマンドを液晶制御手段に送信している。これにより、サブ制御手段と液晶制御手段との手段間のハーネスに突発的にノイズが侵入して正しい送信用基コマンドが伝わらなくても、サブ制御マイクロプロセッサが送信用基コマンドを液晶制御手段に再送信することで、正しい送信用基コマンドを伝えることができる。つまり、最上位である主制御手段は、サブ制御手段と液晶制御手段との手段間に生じた不具合を把握することができなくても、サブ制御手段及び液晶制御手段側でその不具合を速やかに解決することによって、主制御手段による遊技の進行と、液晶制御手段による液晶表示器の描画の進行と、の間にギャップが生じにくくなる。したがって、ノイズの影響を受けても、最上位の主制御手段と最下位の液晶制御手段との同期性を維持することができる。
【手続補正２２】
【補正対象書類名】明細書
【補正対象項目名】００２６
【補正方法】変更
【補正の内容】
【００２６】
本実施形態では、例えば、図１１５の遊技盤４が遊技盤に相当し、図１１５の遊技領域２５５が遊技領域に相当し、図７の打球発射装置３００が打球発射装置に相当し、図１１５の上始動入賞口１３３０が始動入賞口に相当し、図１１５の液晶表示器１３１５が液晶表示器に相当し、図１のパチンコ遊技機１がパチンコ遊技機に相当し、図１１９の主制御ＭＰＵ１７００ａが主制御マイクロプロセッサに相当し、図１１９の主制御基板１７００が主制御手段に相当し、サブ統合内蔵ＲＡＭがＲＡＭに相当し、サブ統合側送信リングバッファがリングバッファに相当し、図１１９のサブ統合ＭＰＵ１７４０ａがサブ制御マイクロプロセッサに相当し、図１１９のサブ統合基板１７４０がサブ制御手段に相当し、図１１９の液晶制御ＭＰＵ１７５０ａが液晶制御マイクロプロセッサに相当し、図１１９の液晶制御基板１７５０が液晶制御手段に相当し、図１３８の主制御側電源投入時処理が主制御側電源投入時制御手段に相当し、４ミリ秒（ｍｓ）が主制御側定期割り込みタイマに相当し、図１４０の主制御側タイマ割り込み処理が主制御側定期タイマ割り込み制御手段に相当し、図１４０の主制御側タイマ割り込み処理におけるステップＳ７４のスイッチ入力処理がスイッチ入力制御手段に相当し、図１４０の主制御側タイマ割り込み処理におけるステップＳ８６の特別図柄及び特別電動役物制御処理のうち、遊技処理が遊技制御手段に相当し、図１４０の主制御側タイマ割り込み処理におけるステップＳ９２のサブ統合基板コマンド送信処理が遊技演出コマンド送信制御手段に相当し、サブ統合ＭＰＵ１７４０ａのシリアル入出力ポートがシリアル出力ポートに相当し、図１５８のサブ統合側電源投入時処理がサブ制御側電源投入時制御手段に相当し、２ミリ秒（ｍｓ）がサブ制御側定期割り込みタイマに相当し、図１５９のサブ統合側タイマ割り込み処理がサブ制御側定期タイマ割り込み制御手段に相当し、図１６３の送信バッファ空割り込み処理が送信バッファ空割り込み制御手段に相当し、図１６４のＤＳＰ−ＡＣＫ信号割り込み処理が受信完了割り込み制御手段に相当し、１６ミリ秒（ｍｓ）がサブ制御側定期割り込みタイマの所定数倍の時間に相当し、図１５８のサブ統合側電源投入時処理におけるステップＳ７２６のコマンド解析処理〜ステップＳ７３４の図柄メイン処理が演出制御手段に相当し、図１６２の液晶シリアルコマンド制御処理が基コマンド送信制御手段に相当し、図１６２の液晶シリアルコマンド制御処理におけるステップＳ８００の判定が基コマンド記憶有無判定制御手段に相当し、図１６２の液晶シリアルコマンド制御処理におけるステップＳ８０６のサム値を算出する処理が送信用基コマンド作成制御手段に相当し、図１６２の液晶シリアルコマンド制御処理におけるステップＳ８０８の送信バッファに１バイト目をセットする処理が送信用基コマンド送信開始制御手段に相当し、図１３４のＤＳＰ−ＡＣＫ信号が送信用基コマンドの受信完了した旨を伝える信号に相当し、ＤＳＰ−ＡＣＫ信号待ち時間が予め定めた時間に相当し、図１６２の液晶シリアルコマンド制御処理におけるステップＳ８１６の判定が送信用基コマンド受信完了判定制御手段に相当し、図１６２の液晶シリアルコマンド制御処理におけるステップＳ８１６の判定でＤＳＰ−ＡＣＫ信号待ち時間がタイムアウトした際に、同処理におけるステップＳ８０８の送信バッファに１バイト目をセットする処理が送信用基コマンド再送信開始制御手段に相当し、図１６２の液晶シリアルコマンド制御処理におけるステップＳ８１６の判定でＤＳＰ−ＡＣＫ信号待ち時間がタイムアウトした際に、同一の送信用基コマンドを最大で５回、液晶制御基板１７５０に送信することができるという点が再送信開始許可制御手段に相当し、液晶制御ＭＰＵ１７５０ａのシリアル入出力ポートがシリアル入力ポートに相当し、図１６７の液晶制御側電源投入時処理が液晶制御側電源投入時制御手段に相当し、図１７０の液晶制御側コマンド受信割り込み処理が液晶制御側コマンド受信割り込み制御手段に相当し、図１７０の液晶制御側コマンド受信割り込み処理におけるステップＳ１１０２の受信バッファから取り込む処理が取り込み制御手段に相当し、図１７０の液晶制御側コマンド受信割り込み処理におけるステップＳ１１０８の判定が送信用基コマンド取り込み完了判定制御手段に相当し、図１７０の液晶制御側コマンド受信割り込み処理におけるステップＳ１１１４のサム値を算出する処理が液晶制御側サム値算出制御手段に相当し、図１７０の液晶制御側コマンド受信割り込み処理におけるステップＳ１１１６の判定が整合性判定制御手段に相当し、図１７０の液晶制御側コマンド受信割り込み処理におけるステップＳ１１２０のＤＳＰ−ＡＣＫ信号をＯＮする処理が送信用基コマンド受信完了制御手段に相当し、液晶制御側受信リングバッファが液晶制御側リングバッファに相当し、図１７０の液晶制御側コマンド受信割り込み処理におけるステップＳ１１１８の処理が液晶制御側リングバッファ記憶制御手段に相当する。
【手続補正２３】
【補正対象書類名】明細書
【補正対象項目名】００２７
【補正方法】変更
【補正の内容】
【００２７】
（解決手段２）
解決手段１に記載のパチンコ遊技機であって、前記送信用基コマンド受信完了制御手段は、前記送信用基コマンドの前記ステータスを、前記取り込み制御手段で前記シリアル入力ポートの受信バッファから取り込んだときには当該送信用基コマンドの受信完了した旨を伝える信号を受信開始状態に設定し、当該送信用基コマンドの前記モード及び当該送信用基コマンドの前記サム値を、前記取り込み制御手段で前記シリアル入力ポートの受信バッファから取り込んだときには当該送信用基コマンドの受信完了した旨を伝える信号を受信中状態に設定し、前記整合性判定制御手段で、前記液晶制御側サム値算出制御手段で算出したサム値と前記取り込み制御手段で前記シリアル入力ポートの受信バッファから取り込んだ前記送信用基コマンドの前記サム値とが一致しているときには当該送信用基コマンドの受信完了した旨を伝える信号を受信完了状態に設定することを特徴とするパチンコ遊技機。こうすれば、サブ制御手段のサブ制御マイクロプロセッサは、液晶制御手段からの送信用基コマンドの受信完了した旨を伝える信号を監視（モニタ）することによって、送信用基コマンドのステータス、モード及びサム値のうち、どの段階で異常が生じたかを判断することができる。また、開発段階において、液晶制御手段からの送信用基コマンドの受信完了した旨を伝える信号と、送信用基コマンドのステータス、モード及びサム値と、をプローブを介して、検査装置（例えば、オシロスコープ）に入力し、送信用基コマンドの受信完了した旨を伝える信号の受信開始状態、受信中状態、受信完了状態と、送信用基コマンドのステータス、モード及びサム値と、の対応関係を検査装置で監視（モニタ）することによって、サブ制御手段と液晶制御手段との手段間の送受信状態の他に、サブ制御手段側の不具合や液晶制御手段側の不具合を確認することができる。
【手続補正２４】
【補正対象書類名】明細書
【補正対象項目名】００２９
【補正方法】変更
【補正の内容】
【００２９】
本発明のパチンコ遊技機においては、ノイズの影響を受けても、最上位の主制御手段と最下位の液晶制御手段との同期性を維持することができる。
【手続補正２５】
【補正対象書類名】明細書
【補正対象項目名】０８４２
【補正方法】変更
【補正の内容】
【０８４２】
ステップＳ１１１４に続いて、ステップＳ１１０２で受信バッファからすでに取り出した送信用基コマンドの３バイト目であるサム値と、ステップＳ１１１４で算出したサム値と、が一致しているか否かを判定する（ステップＳ１１１６）。ステップＳ１１０２で受信バッファからすでに取り出した送信用基コマンドの３バイト目であるサム値は、上述したように、図１６２に示した液晶シリアルコマンド制御処理におけるステップＳ８０６で算出したものであるため、ステップＳ１１１６で算出したサム値と一致しているはずである。ところが、パチンコ遊技機１は、上述したように、パチンコ島設備から遊技球が供給されており、遊技球は、互いにこすれ合って帯電すると、静電放電してノイズを発生するため、パチンコ遊技機１はノイズの影響を受けやすり環境下にある。そこで、本実施形態では、サブ統合基板１７４０側では、表示コマンドを構成する基コマンドに基づいて送信用基コマンドを作成している。この送信用基コマンドは、上述したように、送信用基コマンドの１バイト目として基コマンドのステータスが割り振られ、送信用基コマンドの２バイト目として基コマンドのモードが割り振られ、送信用基コマンドの３バイト目として基コマンドのステータスと基コマンドのモードとを数値とみなしてその合計を算出したサム値が割り振られている。一方、液晶制御基板１７５０側では、受信した送信用基コマンドの１バイト目として割り振られたステータスと、２バイト目として割り振られたモードと、を数値とみなしてその合計（サム値）を算出し、この算出したサム値が、受信した送信用基コマンドの３バイト目として割り振られたサム値と一致しているか否かを判定している。これにより、サブ統合基板１７４０と液晶制御基板１７５０との基板間において、送信用基コマンドがノイズの影響を受けて正規と異なる送信用基コマンドに変化したか否かを判定している。
【手続補正２６】
【補正対象書類名】明細書
【補正対象項目名】０８４３
【補正方法】変更
【補正の内容】
【０８４３】
ステップＳ１１１６で、ステップＳ１１０２で受信バッファからすでに取り出した送信用基コマンドの３バイト目であるサム値と、ステップＳ１１１４で算出したサム値と、が一致しているときには、受信した送信用基コマンドを液晶制御側受信リングバッファに記憶する（ステップＳ１１１８）。この「液晶制御側受信リングバッファ」とは、バッファの最後と先頭が繋がっているように使われるバッファのことであり、バッファの先頭から順次データを記憶し、バッファの最後まできたら最初に戻って記憶する。なお、液晶制御ＭＰＵ１７５０ａは、ステップＳ１１１８で液晶制御側受信リングバッファに記憶する際に、受信した送信用基コマンドの１バイト目として割り振られたステータスと、２バイト目として割り振られたモードと、を対応付けて記憶しており、３バイト目として割り振られたサム値を破棄している。
【手続補正２７】
【補正対象書類名】明細書
【補正対象項目名】０８４５
【補正方法】変更
【補正の内容】
【０８４５】
一方、ステップＳ１１００で１バイト受信期間タイマがタイムアウトしていないとき、つまりサブ統合基板１７４０から送信される液晶シリアルデータＤＳＰ−ＳＥＲのうち、１バイト（８ビット）の情報を受信し得る期間を超えているときには、又はステップＳ１１１６で、ステップＳ１１０２で受信バッファからすでに取り出した送信用基コマンドの３バイト目であるサム値と、ステップＳ１１１４で算出したサム値と、が一致していないときには、そのままこのルーチンを終了する。これにより、液晶制御ＭＰＵ１７５０ａは、ＤＳＰ−ＡＣＫ信号をＯＦＦからＯＮにセットすることができなくなり、上述したように、図１６２に示した液晶シリアルコマンド制御処理におけるステップＳ８１６で、ＤＳＰ−ＡＣＫ信号待ち時間タイムがタイムアップしたと判定され、再び同一の基コマンドから送信用基コマンドを作成してその１バイト目〜３バイト目を順に送信開始することとなる。
【手続補正２８】
【補正対象書類名】明細書
【補正対象項目名】０８６９
【補正方法】変更
【補正の内容】
【０８６９】
１…パチンコ遊技機（パチンコ遊技機）、２…外枠、３…本体枠、３ａ…扉枠開放スイッチ、３ｂ…本体枠開放スイッチ、４…遊技盤、５…扉枠、５ａａ，５ｂ〜５ｈ…扉枠装飾ランプ、３０…貯留皿、３０ａ…球排出ボタン、４２…遊技窓、５０…ガラスユニット、６０…ガラス板、７０…ハンドル装置、７１ａ…ハンドル中継端子板、７４…回動操作部材、８０…タッチスイッチ、８０ａ…接触検出基板、２５０…ベニヤ板、２５１…飾り枠、２５５…遊技領域、２６８ａ…ＲＡＭクリアスイッチ、２７０…ドロワコネクタ、２７０ａ…ターミナル、３００…打球発射装置、４００…賞球タンク、４１０…タンクレール部材、４２０…球通路ユニット、４５０…賞球ユニット、４５７…スプロケット、４２６…球切れスイッチ、４６２…計数スイッチ、４６５…払出モータ、４８０…賞球ユニット内中継端子板、４９３…第１ギヤ、４９４…第２ギヤ、４９７…第３ギヤ、５００…検出円盤、５０１…検出切欠、５０２…ギヤ部、５０４…センサ基板、５０５…回転角スイッチ、６５１…枠用基板ホルダー、６５３…電源基板ボックス、６５５…払出制御基板ボックス、６５６…シールド放熱板、６５６ａ…凹凸面、６５７…主ドロワ中継基板、６５８…副ドロワ中継基板、６８６…電源基板、７００ａ…外部端子板、７００ｂ…ＣＲユニット端子板、７１５…払出制御基板、７２４ａ，７２４ｂ…箔抜き領域、７３０…ドロワコネクタ、７３０ａ…コンタクト、１２００…センター役物装置、１２１０…入賞口ユニット、１２２０…装飾ユニット、１２２５…機能表示ユニット、１２２５ａ…機能表示基板、１２３０…演出ランプ、１２４０…階調ランプ、１４８０…上特別図柄表示器、１４９０…下特別図柄表示器、１５００ａ，１５００ｂ…上特別図柄記憶ランプ、１５１０ａ，１５１０ｂ…下特別図柄記憶ランプ、１５２０…普通図柄表示器、１５３０ａ〜１５３０ｄ…普通図柄記憶ランプ、１５４０…遊技状態表示ランプ、１５５０…２ラウンド表示ランプ、１５６０…１５ラウンド表示ランプ、１５７０…演出ランプ、１５９５Ａ…機能表示シール、１７００…主制御基板（主制御手段）、１７００ａ…主制御ＭＰＵ（主制御マイクロプロセッサ）、１７００ｆ…活線故障防止回路、１７１０…払出制御部、１７１０ａ…払出制御ＭＰＵ、１７２０…発射制御部、１７３０…エラーＬＥＤ表示器、１７３１…エラー解除スイッチ、１７３２…球抜きスイッチ、１７４０…サブ統合基板（サブ制御手段）、１７４０ａ…サブ統合ＭＰＵ（サブ制御マイクロプロセッサ）、１７５０…液晶制御基板（液晶制御手段）、１７５０ａ…液晶制御ＭＰＵ（液晶制御マイクロプロセッサ）、１７５０ｂ…液晶制御ＲＯＭ、１７５０ｃ…ＶＤＰ、１７５０ｃａ…スプライトレジスタ、１７５０ｃｂ…ＶＤＰレジスタ、１７５０ｄ…キャラＲＯＭ、１７５０ｍ…転送ＩＣ、１７５０ｍａ…レジスタ群、１７５０ｆ…スケーラＩＣ、１７５０ｆａ…レジスタ群、１７５０ｇ…フレームメモリ、１７５０ｍ…転送ＩＣ、１７５０ｍａ…レジスタ群、１７５０ｚ…キャラＲＡＭ、１７５０ｚａ…常駐領域、１７５０ｚｂ…非常駐領域、１７５５…インバータ基板、１７６０…ランプ駆動基板、１７６０ｂ…階調制御ＩＣ、１７６０ｂａ…ノイズ除去部、１７６０ｂｂ…シリアル部、１７６０ｂｃ…階調更新制御部、１７６０ｂｄ…ＯＮ時間設定テーブル用レジスタ群、１７６０ｂｅ…波形テーブル用レジスタ群、１７６０ｂｆ…パルス生成部、Ｃ１，Ｃ１０１，Ｃ１０３，Ｃ５０…電解コンデンサ、ＦＢＤ１…フライバック電圧吸収用ダイオード、ＦＢＤ２…フライバック電圧吸収用ダイオード、ＦＢＤ３…フライバック電圧吸収用ダイオード、ＦＢＤ４…フライバック電圧吸収用ダイオード、Ｇｒｐ１，Ｇｒｐ２，Ｇｒｐ３…グループ、ＩＣ５０…ドライブＩＣ、ＰＴｒ１…ダーリントンパワートランジスタ、ＰＴｒ２…ダーリントンパワートランジスタ、ＰＴｒ３…ダーリントンパワートランジスタ、ＰＴｒ４…ダーリントンパワートランジスタ、Ｒ７２４ａ，Ｒ７２４ｃ…抵抗、Ｒ７２４ｂ，Ｒ７２４ｄ…抵抗、ＳＥＧ１，ＳＥＧ２…セグメント表示器、ＩＳＦＩＬＤ０…フィールド１７５０ｇ［０］書き込み開始アドレスレジスタ、ＩＳＦＩＬＤ１…フィールド１７５０ｇ［１］書き込み開始アドレスレジスタ、ＩＳＦＩＬＤ２…フィールド１７５０ｇ［２］書き込み開始アドレスレジスタ、ＩＳＦＩＬＤ３…フィールド１７５０ｇ［３］書き込み開始アドレスレジスタ、ＯＳＦＩＬＤ０…フィールド１７５０ｇ［０］読み出し開始アドレスレジスタ、ＯＳＦＩＬＤ２…フィールド１７５０ｇ［２］読み出し開始アドレスレジスタ。